(57)【要約】【課題】インターネット電話機能を使用する場合に、一般電話機能へ発呼を行った者に対して、通信装置付近に使用者が居ると認識させることができる通信装置を提供すること。【解決手段】ＭＦＰ１は、インターネット電話機能による発呼を行う前に、電話回線網１００を回線開放状態から回線閉結状態にする。その後、インターネット電話プログラム１４ａを使用したインターネット電話機能による通話が終了するまで、ＭＦＰ１は、電話回線網１００を回線閉結状態に維持する。電話回線網１００が回線閉結状態となると、一般電話機能へ発呼を行った者に対して、ＭＦＰ１のユーザが電話機能で通話中であることを示す応答が行われる。よって、ＭＦＰ１によれば、一般電話機能へ発呼を行った者に対して、ＭＦＰ１のユーザは、電話機能で通話中であり、ＭＦＰ１付近に居ると認識させることができる。【選択図】図２
2009232403.tif 000002
【特許請求の範囲】
【請求項１】
公衆回線網を使用して相手装置と通話を行う一般電話機能と、
インターネット網を使用して相手装置と通話を行うインターネット電話機能とを有する通信装置であって、
前記一般電話機能を使用中の状態に設定する一般電話機能設定手段と、
前記インターネット電話機能を使用する場合に、前記一般電話機能設定手段を制御して前記一般電話機能を使用中の状態に設定する設定制御手段とを備えていることを特徴とする通信装置。
【請求項２】
前記相手装置から受信した電気信号に対応する音を出力する一方、前記相手装置へ送信する音を入力する入出力手段と、
その入出力手段による音の入出力が可能になったことを検出する入出力検出手段と、
前記インターネット電話機能の使用を受け付ける受付手段とを備え、
前記設定制御手段は、前記入出力検出手段により前記入出力手段の音の入出力が可能になったことが検出されると、前記一般電話機能設定手段を制御して前記一般電話機能を使用中の状態に設定し、その後に、前記受付手段により前記インターネット電話機能の使用が受け付けられた場合には、前記一般電話機能設定手段により設定された前記使用中の状態の解除を禁止するものであることを特徴とする請求項１記載の通信装置。
【請求項３】
前記インターネット電話機能を用いて通話する相手装置を決定する決定手段を備え、
前記設定制御手段は、前記決定手段により前記インターネット電話機能を用いて通話する相手装置が決定された場合に、前記一般電話機能設定手段を制御して前記一般電話機能を使用中の状態に設定するものであることを特徴とする請求項１記載の通信装置。
【請求項４】
前記インターネット電話機能による着呼を検出する着呼検出手段を備え、
前記設定制御手段は、前記着呼検出手段により前記着呼が検出された場合に、前記一般電話機能設定手段を制御して前記一般電話機能を使用中の状態に設定するものであることを特徴とする請求項１から３のいずれかに記載の通信装置。
【請求項５】
使用中の前記インターネット電話機能が不使用の状態になったことを検出する不使用検出手段を備え、
前記設定制御手段は、前記不使用検出手段により前記インターネット電話機能が不使用の状態になったことが検出された場合に、前記一般電話機能設定手段を制御して前記一般電話機能の使用中の状態を解除する解除手段を備えていることを特徴とする請求項１から４のいずれかに記載の通信装置。
【請求項６】
前記設定制御手段は、前記一般電話機能設定手段を制御して前記公衆回線網を回線閉結状態にすることによって、前記一般電話機能を使用中の状態に設定するものであることを特徴とする請求項１から５のいずれかに記載の通信装置。
【請求項７】
前記解除手段は、前記一般電話機能設定手段を制御して前記公衆回線網を回線開放状態にすることによって、前記一般電話機能の使用中の状態を解除するものであることを特徴とする請求項５または６に記載の通信装置。
【発明の詳細な説明】
【技術分野】
【０００１】
本発明は、通信装置に関するものである。
【背景技術】
【０００２】
従来、インターネット網を介して相手装置と通話を行うインターネット電話機能と、公衆回線網（電話回線網）を介して相手装置と通話を行う一般電話機能とを有する通信装置に関しては、例えば、特許文献１記載のインターネット電話アダプタが知られている。このインターネット電話アダプタでは、インターネット電話機能を使用しているときに、一般電話機能に対して着呼があった場合、その着呼に応答することを示すフッキング信号が使用者の操作によって送信されると、インターネット電話機能の使用を一旦保留して、一般電話機能に対する着呼に応答する。よって、インターネット電話アダプタによれば、インターネット電話機能を使用している場合であっても、一般電話機能に対する着呼に応答することができる。なお、「着呼」とは、相手装置側から発呼があって公衆回線（電話回線）が閉結されていない状態をいい、「着呼に応答」とは、相手装置側から発呼があって公衆回線が閉結されている状態をいう。
【特許文献１】特開２００４−３５００６３号公報
【発明の開示】
【発明が解決しようとする課題】
【０００３】
しかしながら、上記のインターネット電話アダプタでは、インターネット電話機能を使用しているときに、一般電話機能に対する着呼があった場合、使用者が何らの操作も行わなければ、フッキング信号が送信されないので、一般電話機能に対する着呼に応答することができない。このとき、公衆回線（電話回線）は閉結されないので（公衆回線は開放されているので）、相手装置側から一般電話機能へ発呼を行った者に対しては、一般電話機能が使用されていないことを示す呼び出し音が出力されてしまう。よって、インターネット電話アダプタの使用者が、インターネット電話機能を使用しており、インターネット電話アダプタ付近に居るにも拘らず、呼び出し音の出力により、相手装置側から一般電話機能へ発呼を行った者は、インターネット電話アダプタの使用者は不在であるという誤解を抱いてしまうという問題点があった。
【０００４】
本発明は、上述した問題点を解決するためになされたものであり、インターネット電話機能を使用する場合には、一般電話機能に対して着呼があった際に、その着呼を発生させた者、即ち一般電話機能へ発呼を行った者に対して、通信装置付近に使用者が居ると認識させることができる通信装置を提供することを目的としている。
【課題を解決するための手段】
【０００５】
この目的を達成するために請求項１記載の通信装置は、公衆回線網を使用して相手装置と通話を行う一般電話機能と、インターネット網を使用して相手装置と通話を行うインターネット電話機能とを有するものであり、前記一般電話機能を使用中の状態に設定する一般電話機能設定手段と、前記インターネット電話機能を使用する場合に、前記一般電話機能設定手段を制御して前記一般電話機能を使用中の状態に設定する設定制御手段とを備えている。
【０００６】
請求項２記載の通信装置は、請求項１記載の通信装置において、前記相手装置から受信した電気信号に対応する音を出力する一方、前記相手装置へ送信する音を入力する入出力手段と、その入出力手段による音の入出力が可能になったことを検出する入出力検出手段と、前記インターネット電話機能の使用を受け付ける受付手段とを備え、前記設定制御手段は、前記入出力検出手段により前記入出力手段の音の入出力が可能になったことが検出されると、前記一般電話機能設定手段を制御して前記一般電話機能を使用中の状態に設定し、その後に、前記受付手段により前記インターネット電話機能の使用が受け付けられた場合には、前記一般電話機能設定手段により設定された前記使用中の状態の解除を禁止するものである。
【０００７】
請求項３記載の通信装置は、請求項１記載の通信装置において、前記インターネット電話機能を用いて通話する相手装置を決定する決定手段を備え、前記設定制御手段は、前記決定手段により前記インターネット電話機能を用いて通話する相手装置が決定された場合に、前記一般電話機能設定手段を制御して前記一般電話機能を使用中の状態に設定するものである。
【０００８】
請求項４記載の通信装置は、請求項１から３のいずれかに記載の通信装置において、前記インターネット電話機能による着呼を検出する着呼検出手段を備え、前記設定制御手段は、前記着呼検出手段により前記着呼が検出された場合に、前記一般電話機能設定手段を制御して前記一般電話機能を使用中の状態に設定するものである。
【０００９】
請求項５記載の通信装置は、請求項１から４のいずれかに記載の通信装置において、使用中の前記インターネット電話機能が不使用の状態になったことを検出する不使用検出手段を備え、前記設定制御手段は、前記不使用検出手段により前記インターネット電話機能が不使用の状態になったことが検出された場合に、前記一般電話機能設定手段を制御して前記一般電話機能の使用中の状態を解除する解除手段を備えている。
【００１０】
請求項６記載の通信装置は、請求項１から５のいずれかに記載の通信装置において、前記設定制御手段は、前記一般電話機能設定手段を制御して前記公衆回線網を回線閉結状態にすることによって、前記一般電話機能を使用中の状態に設定するものである。
【００１１】
請求項７記載の通信装置は、請求項５または６に記載の通信装置において、前記解除手段は、前記一般電話機能設定手段を制御して前記公衆回線網を回線開放状態にすることによって、前記一般電話機能の使用中の状態を解除するものである。
【発明の効果】
【００１２】
請求項１記載の通信装置によれば、設定制御手段は、インターネット電話機能を使用する場合には、一般電話機能設定手段を制御して一般電話機能を使用中の状態に設定する。ここで、一般電話機能が使用中の状態に設定されると、一般電話機能へ着呼があった際に、その着呼を発生させた者、即ち一般電話機能へ発呼を行った者に対して、一般電話機能が使用中の状態であることを示す応答が行われる。これにより、一般電話機能へ発呼を行った者は、電話機能が使用中であることを認識することができる。よって、インターネット電話機能を使用する場合には、電話機能が使用中の状態となるので、一般電話機能へ着呼があった際に、その着呼を発生させた者、即ち一般電話機能へ発呼を行った者に対して、通信装置の使用者は、電話機能を使用中であり、通信装置付近に居ると認識させることができるという効果がある。これにより、一般電話機能へ発呼を行った者に対して、所定時間待機後の一般電話機能への再発呼を促すことができる。
【００１３】
また、インターネット電話機能を使用する場合には、設定制御手段により一般電話機能が使用中の状態に設定されるので、使用者の操作等の特別な処理を必要とすることなく、一般電話機能を使用中の状態に設定することができる。よって、一般電話機能を使用中の状態に設定する処理を簡略化することができるという効果がある。
【００１４】
請求項２記載の通信装置によれば、請求項１記載の通信装置の奏する効果に加え、設定制御手段は、入出力検出手段により入出力手段の音の入出力が可能になったことが検出されると、一般電話機能設定手段を制御して一般電話機能を使用中の状態に設定する。そして、設定制御手段は、その後に、インターネット電話機能の使用が受付手段により受け付けられた場合には、一般電話機能設定手段により設定された一般電話機能の使用中の状態の解除を禁止する。即ち、入出力手段の音の入出力が可能になり、その後、インターネット電話機能の使用が受け付けられた場合には、設定制御手段は、一般電話機能設定手段により設定された一般電話機能の使用中の状態を維持する。よって、入出力手段の音の入出力が可能になり、その後、インターネット電話機能の使用が受け付けられた場合には、一般電話機能が使用中の状態となっているので、一般電話機能へ着呼があった際に、その着呼を発生させた者、即ち一般電話機能へ発呼を行った者に対して、通信装置の使用者は、電話機能を使用中であり、通信装置付近に居ると認識させることができるという効果がある。
【００１５】
請求項３記載の通信装置によれば、請求項１記載の通信装置の奏する効果に加え、設定制御手段は、インターネット電話機能を用いて通話する相手装置が決定手段により決定された場合に、一般電話機能設定手段を制御して一般電話機能を使用中の状態に設定する。よって、インターネット電話機能を用いて通話する相手装置が決定された場合には、一般電話機能が使用中の状態となるので、一般電話機能へ着呼があった際に、その着呼を発生させた者、即ち一般電話機能へ発呼を行った者に対して、通信装置の使用者は、電話機能を使用中であり、通信装置付近に居ると認識させることができるという効果がある。
【００１６】
請求項４記載の通信装置によれば、請求項１から３のいずれかに記載の通信装置の奏する効果に加え、設定制御手段は、インターネット電話機能による着呼が着呼検出手段により検出された場合に、一般電話機能設定手段を制御して一般電話機能を使用中の状態に設定する。よって、インターネット電話機能による着呼が検出された場合には、一般電話機能が使用中の状態となるので、一般電話機能へ着呼があった際に、その着呼を発生させた者、即ち一般電話機能へ発呼を行った者に対して、通信装置の使用者は、電話機能を使用中であり、通信装置付近に居ると認識させることができるという効果がある。
【００１７】
請求項５記載の通信装置によれば、請求項１から４のいずれかに記載の通信装置の奏する効果に加え、解除手段は、インターネット電話機能が不使用の状態になったことが不使用検出手段により検出された場合に、一般電話機能設定手段を制御して一般電話機能の使用中の状態を解除する。よって、インターネット電話機能が不使用の状態になったことが検出された場合には、一般電話機能を使用可能な状態にするので、通信装置の使用者は、一般電話機能へ着呼があった際に、その着呼に応答することができるという効果がある。
【００１８】
請求項６記載の通信装置によれば、請求項１から５のいずれかに記載の通信装置の奏する効果に加え、設定制御手段は、一般電話機能設定手段を制御して公衆回線網を回線閉結状態にすることによって、一般電話機能を使用中の状態に設定する。公衆回線網が回線閉結状態となると、相手装置側から一般電話機能に対して発呼を行った者に対して、通信装置の使用者が通話中であることを示す応答が行われる。よって、一般電話機能へ着呼があった際に、その着呼を発生させた者、即ち一般電話機能へ発呼を行った者に対して、通信装置の使用者は、電話機能による通話中であり、通信装置付近に居ると認識させることができるという効果がある。
【００１９】
請求項７記載の通信装置によれば、請求項５または６に記載の通信装置の奏する効果に加え、解除手段は、一般電話機能設定手段を制御して公衆回線網を回線開放状態にすることによって、一般電話機能の使用中の状態を解除する。公衆回線網が回線開放状態となると、一般電話機能による通話中が解除される。よって、通信装置の使用者は、一般電話機能へ着呼があった際に、その着呼に応答することができるという効果がある。
【発明を実施するための最良の形態】
【００２０】
以下、本発明の好ましい実施形態について、添付図面を参照して説明する。図１は、本発明の一実施形態における多機能周辺装置（以下、「ＭＦＰ（Ｍｕｌｔｉ  Ｆｕｎｃｔｉｏｎ  Ｐｅｒｉｐｈｅｒａｌ）」と称する。）１の電気的構成を示すブロック図である。
【００２１】
ＭＦＰ１は、インターネット電話機能を使用する場合に、一般電話機能へ発呼を行った者に対して、ＭＦＰ１付近にユーザが居ると認識させることができる通信装置である。
【００２２】
ＭＦＰ１は、インターネット電話機能、一般電話機能、ファクシミリ機能、プリンタ機能、スキャナ機能、及びコピー機能などの各種の機能を有する多機能周辺装置である。また、ＭＦＰ１は、インターネット電話機能を制御するための制御装置としても動作し、インターネット回線２００と接続されている。ＭＦＰ１は、インターネット回線２００を介して、外部に設けられたインターネット電話３Ａ，３Ｂ，３Ｃとの間で、インターネット電話を行う。
【００２３】
ＭＦＰ１は、ＣＰＵ（Ｃｅｎｔｒａｌ  Ｐｒｏｃｅｓｓｉｎｇ  Ｕｎｉｔ）１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、フラッシュメモリ１４、操作ボタン１５、ＬＣＤ１６、スピーカ１７、スキャナ１８、プリンタ１９、モデム２０、ＮＣＵ（Ｎｅｔｗｏｒｋ  Ｃｏｎｔｒｏｌ  Ｕｎｉｔ）２１、ハンドセット２２、計時回路２３、ＵＳＢインターフェイス２４、マイク２５、ハンドセット検出センサ２６、インターネットインターフェイス２７を有しており、これらはバスライン２５を介して互いに接続されている。
【００２４】
ＣＰＵ１１は、ＲＯＭ１２、ＲＡＭ１３、及びフラッシュメモリ１４に記憶される固定値やプログラムに従って、或いは、ＮＣＵ２１、ＵＳＢインターフェイス２４またはインターネットインターフェイス２７を介して送受信される各種信号に従って、バスライン２５を介して接続された各部を制御する演算装置である。
【００２５】
ＲＯＭ１２は、ＭＦＰ１で実行される各種の制御プログラムやその制御プログラムにより参照される固定値を記憶する書換不能な不揮発性のメモリであり、例えば、後述する図２〜図４のフローチャートに示す各処理を実行するプログラムが記憶されている。
【００２６】
ＲＡＭ１３は、各種のプログラムやデータを一時的に記憶するための書換可能な揮発性のメモリである。ＲＡＭ１３には、鳴動開始タイマ１３ａが設けられている。この鳴動開始タイマ１３ａは、インターネット電話３Ａ〜３Ｃから着呼があった場合に、その着呼からの経過時間を計時するタイマである。例えば、インターネット電話３ＡからＭＦＰ１のインターネット電話機能へ発呼が行われると、インターネット電話プログラム１４ａは、インターネット電話３Ａからの着呼を検出する。すると、ＣＰＵ１１は、鳴動開始タイマ１３ａの計時を開始する。なお、インターネット電話３Ａからの着呼が検出された場合に、その着呼に応答せず、鳴動開始タイマ１３ａの計時が６０秒を超えると、即ち、その着呼からの経過時間が６０秒を超えると、ＣＰＵ１１は、インターネット電話プログラム１４ａに着呼終了を指示する。これにより、インターネット電話３Ａからの着呼が終了する。
【００２７】
フラッシュメモリ１４は書換可能な不揮発性のメモリであり、このフラッシュメモリ１４に記憶されたデータは、ＭＦＰ１の電源オフ後も保持される。このフラッシュメモリ１４には、インターネット電話プログラム１４ａがインストールされている。このインターネット電話プログラム１４ａとしては、例えば、スカイプ・テクノロジー社が提供する「ＳＫＹＰＥ」（登録商標）が知られている。
【００２８】
インターネット電話プログラム１４ａは、ＭＦＰ１の電源がオンされると起動され、操作ボタン１５の操作によりユーザからプログラムの終了が指示されるか、ＭＦＰ１の電源がオフされるまで、ＣＰＵ１１によって実行され続ける。ＣＰＵ１１は、このインターネット電話プログラム１４ａを制御することにより、インターネット電話機能を動作させる。このインターネット電話機能により、ＭＦＰ１は、ハンドセット２２や、スピーカ１７およびマイク２５を用いたスピーカホン機能を使って、インターネット電話３Ａ〜３Ｃとインターネット電話を行うことができる。
【００２９】
操作ボタン１５は、インターネット電話、一般電話、スキャナ、プリンタやファクシミリといった各機能の切り替えや、各種動作の指示および設定を行うための入力ボタンである。この操作ボタン１５には、インターネット電話キー１５ａ、一般電話キー１５ｂ、スピーカホンキー１５ｃ、ストップキー１５ｄおよび決定キー１５ｅが設けられている。
【００３０】
インターネット電話キー１５ａは、ＭＦＰ１でインターネット電話機能を使用する場合に、インターネット電話機能の使用開始をＣＰＵ１１へ指示するボタンである。インターネット電話キー１５ａが押下されると、フラッシュメモリ１４に格納された電話帳（コンタクトリスト）がＬＣＤ１６に表示される。そして、その表示されたコンタクトリストから、ユーザが、通話したいインターネット電話３Ａ〜３Ｃを決定して決定キー１５ｅを押下すると、ＣＰＵ１１は、インターネット電話プログラム１４ａに対し、決定されたインターネット電話の電話番号情報を送出した上で、そのインターネット電話への発呼指示を行う。これにより、ＭＦＰ１から決定されたインターネット電話へ発呼が行われる。
【００３１】
なお、ＣＰＵ１１から、通話したいインターネット電話への発呼指示がインターネット電話プログラム１４ａに対して行われると、ＣＰＵ１１は、ＮＣＵ２１を制御して、電話回線網１００を回線開放状態から回線閉結状態にする。すると、一般電話機能へ発呼が行われた際に、一般電話機能へ発呼を行った者に対して、ＭＦＰ１のユーザが電話機能で通話中であることを示す応答が行われる。よって、一般電話機能へ発呼を行った者に対して、ＭＦＰ１のユーザは、電話機能で通話中であり、ＭＦＰ１付近に居ると認識させることができる。これにより、ＭＦＰ１は、一般電話機能へ発呼を行った者に対して、所定時間待機後の一般電話機能への再発呼を促すことができる。
【００３２】
一般電話キー１５ｂは、ＭＦＰ１で一般電話機能を使用する場合に、一般電話機能の使用開始をＣＰＵ１１へ指示するボタンである。一般電話キー１５ｂが押下されると、ＣＰＵ１１は、一般電話機能を動作させる。そして、一般電話ボタン１５ｂを押下した後、通話したい一般電話（図示せず）の電話番号を操作ボタン１５で入力し、決定キー１５ｅを押下すると、ＣＰＵ１１は、その一般電話への発呼指示を行う。これにより、ＭＦＰ１から決定された一般電話へ発呼が行われる。
【００３３】
スピーカホンキー１５ｃは、電話回線網１００を介して接続された一般電話（図示せず）との通話、または、インターネット２００を介して接続されたインターネット電話３Ａ〜３Ｃとの通話を、スピーカ１７およびマイク２５を使用して行うスピーカホン機能を動作させるためのボタンである。
【００３４】
スピーカホンキー１５ｃによるスピーカホン機能の動作について説明する。ハンドセット２２が載置台（図示せず）に載置され、その載置がハンドセット検出センサ２６で検出されている状態では（ハンドセット２２が不動作状態では）、スピーカホンキー１５ｃが押下されると、スピーカホン機能が動作開始され、スピーカ１７およびマイク２５を使用しての通話が可能となる。そして、再度、スピーカホンキー１５ｃが押下されると、スピーカホン機能が終了すると共に、通話が切断される。なお、このスピーカホン機能は、一般電話やインターネット電話へ発呼を行う場合だけではなく、一般電話やインターネット電話に対する着呼があった場合の応答としても使用できる。
【００３５】
また、ハンドセット２２が載置台（図示せず）から取り外され、その取り外しがハンドセット検出センサ２６で検出されている状態では（ハンドセット２２が動作状態では）、スピーカホンキー１５ｃが押下されると、スピーカホン機能が動作開始され、ハンドセット２２での通話に代えて、スピーカ１７およびマイク２５を使用しての通話が可能となる。そして、再度、スピーカホンキー１５ｃが押下されると、スピーカ１７およびマイク２５を使用しての通話は不可となり、再び、ハンドセット２２での通話が可能となる。
【００３６】
ストップキー１５ｄは、インターネット電話３Ａ〜３Ｃからの着呼がインターネット電話プログラム１４ａで検出された場合に、その着呼を終了させるためのボタンである。インターネット電話３Ａ〜３Ｃからの着呼が検出された場合に、ストップキー１５ｄが押下されると、ＣＰＵ１１は、インターネット電話プログラム１４ａに着呼終了を指示する。これにより、インターネット電話３Ａ〜３Ｃからの着呼が終了する。
【００３７】
決定キー１５ｅは、操作ボタン１５を用いて操作した内容を決定するためのボタンである。例えば、インターネット電話キー１５ａが押下された後、通話したいインターネット電話３Ａ〜３Ｃが決定キー１５ｅの押下により決定されると、ＣＰＵ１１は、決定されたインターネット電話への発呼を行う。一方、一般電話キー１５ｂが押下された後、通話したい一般電話（図示せず）の電話番号を操作ボタン１５で入力し、決定キー１５ｅが押下されると、ＣＰＵ１１は、その一般電話への発呼を行う。
【００３８】
ＬＣＤ１６は、操作ボタン１５の操作に応じて、フラッシュメモリ１４に格納された電話帳（コンタクトリスト）や動作状態などを表示するための液晶ディスプレイである。ユーザが操作ボタン１５を操作することにより、その操作に対応する情報がＬＣＤ１６に表示される。また、ＬＣＤ１６には、インターネット電話３Ａ〜３Ｃからの着呼が表示される。この着呼の表示は、インターネット電話プログラム１４ａによりインターネット電話３Ａ〜３Ｃからの着呼が検出された場合に、ＣＰＵ１１が、その着呼検出を表示するようにＬＣＤ１６を制御することにより行われる。
【００３９】
スピーカ１７は、状況に応じた各種音声（例えば、操作キー１５の操作音やエラー発生時の注意音）を出力するものであり、かかる音声の発音によってユーザに状況を報知する。また、スピーカ１７は、インターネット電話プログラム１４ａによりインターネット電話３Ａ〜３Ｃからの着呼が検出された場合に、着呼音を発音する。また、スピーカホンキー１５ｃが押下された場合には、スピーカ１７およびマイク２５を使用したスピーカホン機能が動作するので、スピーカ１７は、電話回線網１００を介して接続された一般電話（図示せず）からの音声や、インターネット２００を介して接続されたインターネット電話３Ａ〜３Ｃからの音声を出力する。
【００４０】
スキャナ１８は、ＣＰＵ１１からの指示に基づいて、スキャナ１８に設けられた原稿読取台（図示せず）にセットされた原稿から画像の読み取りを行うと共に、その画像をＬＣＤ１６に表示したり、プリンタ１９で印刷可能な画像データを生成するものである。このスキャナ１８により読み取られた画像データは、ＭＦＰ１がファクシミリモードやスキャナモードやコピーモードに設定されている場合には、ＲＡＭ１３における所定の記憶領域に格納される。
【００４１】
プリンタ１９は、ＣＰＵ１１からの指示に基づいて、プリンタ１９に設けられた給紙カセット（図示せず）内の記録用紙への印刷を行うものである。
【００４２】
モデム２０は、ＣＰＵ１１からの指示に基づいて、ＲＡＭ１３に記憶される送信データを電話回線網１００に伝送可能な画像信号に変調し、ＮＣＵ２１を介して送信したり、電話回線網１００からＮＣＵ２１を介して入力された画像信号を受信し、ＬＣＤ１６に表示したりプリンタ１９で印刷可能な画像データに復調するものである。
【００４３】
ＮＣＵ２１は、電話回線網１００と接続されており、電話回線網１００へのダイヤル信号の送出や、電話回線網１００からの呼出信号の応答などの制御を行うものである。
【００４４】
ハンドセット２２は、電話回線網１００を介して接続された一般電話（図示せず）と通話を行うための装置であるとともに、インターネット２００を介して接続されたインターネット電話３Ａ〜３Ｃと通話を行うための装置である。ハンドセット２２は、音声を音声信号に変換するマイクロフォン（図示せず）と、音声信号を音声に変換して外部へ出力（放音）するスピーカ（図示せず）とを有している。なお、このハンドセット２２は、一般電話やインターネット電話へ発呼を行う場合だけではなく、一般電話機能やインターネット電話機能に対する着呼があった場合の応答としても使用できる。
【００４５】
計時回路２３は、現在の日時を刻む内部時計を有する既知の回路である。ＵＳＢインターフェイス２４は、ＵＳＢ規格に従って、データ伝送を行うためのインターフェイスである。
【００４６】
マイク２５は、一般電話（図示せず）やインターネット電話３Ａ〜３Ｃへ送信する音声を音声信号に変換するマイクロフォンである。スピーカホンキー１５ｃが押下されると、マイク２５およびスピーカ１７を使用したスピーカホン機能が動作するので、マイク２５は、電話回線網１００を介して接続された一般電話（図示せず）へ送信する音声や、インターネット２００を介して接続されたインターネット電話３Ａ〜３Ｃへ送信する音声を入力して音声信号に変換する。
【００４７】
ハンドセット検出センサ２６は、ハンドセット２２が載置台（図示せず）に載置されているか否かを検出するセンサである。ハンドセット２２が載置台から取り外されていることが、ハンドセット検出センサ２６で検出されると（ハンドセット２２がアップ状態であると）、ハンドセット２２を使用しての通話が可能となる（ハンドセット２２が動作状態となる）。一方、ハンドセット２２が載置台に載置されていることが、ハンドセット検出センサ２６で検出されると（ハンドセット２２がダウン状態であると）、ハンドセット２２を使用しての通話は不可となる（ハンドセット２２が不動作状態となる）。
【００４８】
インターネットインターフェイス２７は、インターネット電話機能を使用するためのインターフェイスであり、インターネット回線２００と接続されている。ＭＦＰ１は、インターネットインターフェイス２７と接続されたインターネット回線２００を介して、外部に設けられたインターネット電話３Ａ〜３Ｃとの間で、インターネット電話を行う。
【００４９】
次に、図２を参照して、インターネット電話または一般電話へＭＦＰ１から発呼を行った後に、その発呼を行ったインターネット電話または一般電話と通話を行う発呼・通話処理について説明する。図２は、発呼・通話処理のフローチャートを示した図である。この発呼・通話処理は、ハンドセット２２がアップ状態となったことがハンドセット検出センサ２６で検出された場合、インターネット電話キー１５ａが押下された場合、または一般電話キー１５ｂが押下された場合に実行される処理である。
【００５０】
発呼・通話処理では、まず、ハンドセット２２がアップ状態となっているか否か、即ち、ハンドセット２２が動作状態となっているか否かが判定される（Ｓ１）。ハンドセット２２がアップ状態であれば（Ｓ１：Ｙｅｓ）、ＮＣＵ２１を制御して、電話回線網１００を回線開放状態から回線閉結状態にする（Ｓ２）。その後、Ｓ３の処理へ移行する。一方、ハンドセット２２がアップ状態でなければ（Ｓ１：Ｎｏ）、電話回線網１００を回線開放状態としたまま、Ｓ３の処理に移行する。
【００５１】
Ｓ３の処理では、発呼・通話処理が実行開始される前に押下されたキーは、インターネット電話キー１５ａか否かが判定される（Ｓ３）。なお、発呼・通話処理が実行開始される前に、インターネット電話キー１５ａ、または一般電話キー１５ｂが押下されず、ハンドセット２２がアップ状態となり発呼・通話処理が実行開始された場合には、Ｓ３の処理内で、ＬＣＤ１６へ「インターネット電話キー１５ａまたは一般電話キー１５ｂのいずれかのキーを押下ください。」とメッセージを表示して、インターネット電話キー１５ａまたは一般電話キー１５ｂのいずれかのキーの押下をユーザに促す。ＬＣＤ１６に表示されたメッセージにより、インターネット電話キー１５ａまたは一般電話キー１５ｂのいずれかのキーが押下されると、その押下されたキーをＳ３の処理で判定する。
【００５２】
Ｓ３の処理で、インターネット電話キー１５ａが押下されていない、即ち、一般電話キー１５ｂが押下されたと判定された場合には（Ｓ３：Ｎｏ）、ＭＦＰ１の一般電話機能を使用して一般電話への発呼・通話を行うＳ１２の処理へ移行する。Ｓ１２の処理では、電話回線網を使用した一般電話への発呼・通話を行う公知の処理である電話回線網使用処理（Ｓ１２）が実行される。一方、Ｓ３の処理で、インターネット電話キー１５ａが押下されたと判定された場合には（Ｓ３：Ｙｅｓ）、ＭＦＰ１のインターネット電話機能を使用して（インターネット電話プログラム１４ａを使用して）インターネット電話への発呼・通話を行うＳ４以降の処理へ移行する。
【００５３】
Ｓ４の処理では、フラッシュメモリ１４に格納された電話帳（コンタクトリスト）を表示する（Ｓ４）。そして、コンタクトリストから通話相手（通話を行うインターネット電話）が決定されたか否かが判定される（Ｓ５）。通話相手が決定されていないと判定されると（Ｓ５：Ｎｏ）、通話相手が決定されるまで、コンタクトリストを繰り返し表示する（Ｓ４）。
【００５４】
一方、Ｓ５の処理で、通話相手（通話を行うインターネット電話）が決定されたと判定されると（Ｓ５：Ｙｅｓ）、ハンドセット２２が既にアップ状態か否かが判定される（Ｓ６）。ハンドセット２２がアップ状態でなければ（Ｓ６：Ｎｏ）、電話回線網１００は回線開放状態であるので、ＮＣＵ２１を制御して、電話回線網１００を回線開放状態から回線閉結状態にする（Ｓ７）。その後、インターネット電話プログラム１４ａを使用して、インターネット網を用いたインターネット電話機能による発呼を行う（Ｓ８）。なお、ハンドセット２２がアップ状態でなければ（Ｓ６：Ｎｏ）、ハンドセット２２が不動作状態であるので、Ｓ８の処理では、スピーカ１７およびマイク２５を使用したスピーカホン機能による発呼が行われる。これにより、Ｓ８の処理では、自動的に、スピーカホンキー１５ｃが押下された状態となる。スピーカホンキー１５ｃが押下された状態となったことは、Ｓ８の処理でＲＡＭ１３の所定領域に記憶され、この記憶は、後述するインターネット網を用いたインターネット電話機能による通話処理（Ｓ１０）で使用される。
【００５５】
一方、ハンドセット２２が既にアップ状態であれば（Ｓ６：Ｙｅｓ）、電話回線網１００が既に回線閉結状態になっているので（Ｓ２の処理参照）、電話回線網１００の回線閉結状態を維持したまま、インターネット電話プログラム１４ａを使用して、インターネット網を用いたインターネット電話機能による発呼を行う（Ｓ８）。
【００５６】
このように、ＭＦＰ１は、インターネット電話機能による発呼を行う前に（Ｓ８の処理の前に）、電話回線網１００を回線開放状態から回線閉結状態にする。電話回線網１００が回線閉結状態となると、一般電話機能へ発呼を行った者に対して、ＭＦＰ１のユーザが電話機能で通話中であることを示す応答が行われる。よって、ＭＦＰ１によれば、一般電話機能へ発呼を行った者に対して、ＭＦＰ１のユーザは、電話機能で通話中であり、ＭＦＰ１付近に居ると認識させることができる。これにより、ＭＦＰ１は、一般電話機能へ発呼を行った者に対して、所定時間待機後の一般電話機能への再発呼を促すことができる。
【００５７】
Ｓ８の処理で、インターネット電話プログラム１４ａを使用して、インターネット網を用いたインターネット電話機能による発呼を行った後、通話相手は発呼に応答したか否かが判定される（Ｓ９）。通話相手が発呼に応答しなければ（Ｓ９：Ｎｏ）、インターネット網を用いたインターネット電話機能による発呼を繰り返し実行する（Ｓ８）。なお、インターネット網を用いたインターネット電話機能による発呼が行われている間に、ストップキー１５ｄが押下されると、ＣＰＵ１１は、インターネット電話プログラム１４ａに発呼終了を指示する。これにより、インターネット網を用いたインターネット電話機能による発呼が終了される。
【００５８】
一方、通話相手が発呼に応答すると（Ｓ９：Ｙｅｓ）、インターネット網を用いたインターネット電話機能による通話処理を実行する（Ｓ１０）。なお、インターネット網を用いたインターネット電話機能による通話処理（Ｓ１０）については、図４を参照して後述する。インターネット電話プログラム１４ａを使用したインターネット電話機能による通話が終わり、Ｓ１０の処理が終了すると、ＮＣＵ２１を制御して、電話回線網１００を回線閉結状態から回線開放状態にする（Ｓ１１）。これにより、ＭＦＰ１のユーザが電話機能で通話中であることを示す応答が解除される。よって、ＭＦＰ１のユーザは、一般電話機能へ着呼があった際に、その着呼に応答することができる。なお、一般電話機能による通話が終了して、電話回線網使用処理（Ｓ１２）が終了した場合にも、ＮＣＵ２１を制御して、電話回線網１００を回線閉結状態から回線開放状態にする（Ｓ１１）。Ｓ１１の処理終了後、この発呼・通話処理を終了する。
【００５９】
上述した通り、ＭＦＰ１は、インターネット電話機能による発呼を行う前に、電話回線網１００を回線開放状態から回線閉結状態にする。その後、インターネット電話プログラム１４ａを使用したインターネット電話機能による通話が終了するまで、ＭＦＰ１は、電話回線網１００を回線閉結状態に維持する。電話回線網１００が回線閉結状態となると、一般電話機能へ発呼が行われた際に、一般電話機能へ発呼を行った者に対して、ＭＦＰ１のユーザが電話機能で通話中であることを示す応答が行われる。よって、ＭＦＰ１によれば、一般電話機能へ発呼を行った者に対して、ＭＦＰ１のユーザは、電話機能で通話中であり、ＭＦＰ１付近に居ると認識させることができる。これにより、ＭＦＰ１は、一般電話機能へ発呼を行った者に対して、所定時間待機後の一般電話機能への再発呼を促すことができる。
【００６０】
次に、図３を参照して、インターネット電話３Ａ〜３Ｃからの着呼を検出して、必要に応じて着呼が検出されたインターネット電話と通話を行う着呼・通話処理について説明する。図３は、着呼・通話処理のフローチャートを示した図である。この着呼・通話処理は、インターネット電話３Ａ〜３Ｃからの着呼がインターネット電話プログラム１４ａにより検出された場合に実行される処理である。
【００６１】
着呼・通話処理では、インターネット電話３Ａ〜３Ｃからの着呼がインターネット電話プログラム１４ａにより検出されると、まず、ＮＣＵ２１を制御して、電話回線網１００を回線開放状態から回線閉結状態にする（Ｓ２１）。電話回線網１００が回線閉結状態となると、一般電話機能へ発呼が行われた際に、一般電話機能へ発呼を行った者に対して、ＭＦＰ１のユーザが電話機能で通話中であることを示す応答が行われる。よって、ＭＦＰ１によれば、一般電話機能へ発呼を行った者に対して、ＭＦＰ１のユーザは、電話機能で通話中であり、ＭＦＰ１付近に居ると認識させることができる。これにより、ＭＦＰ１は、一般電話機能へ発呼を行った者に対して、所定時間待機後の一般電話機能への再発呼を促すことができる。
【００６２】
Ｓ２１の処理後、スピーカ１７を用いた着呼音の鳴動を開始し（Ｓ２２）、鳴動開始タイマ１３ａの値を初期化してゼロにする（Ｓ２３）。その後、鳴動開始タイマ１３ａを加算する（Ｓ２４）。鳴動開始タイマ１３ａは、加算開始から６０秒が経過するまで定期的に加算される。
【００６３】
その後、スピーカホンキー１５ｃが押下されたか否かが判定される（Ｓ２５）。スピーカホンキー１５ｃが押下された場合には（Ｓ２５：Ｙｅｓ）、インターネット電話３Ａ〜３Ｃからの着呼に対して着信を行った（インターネット電話３Ａ〜３Ｃからの着呼に応答した）ということであるので、着呼音の鳴動を終了して（Ｓ２６）、インターネット網を用いたインターネット電話機能による通話処理を実行する（Ｓ２７）。なお、Ｓ２５の処理で、スピーカホンキー１５ｃが押下されたことは、ＲＡＭ１３の所定領域に記憶され、この記憶は、後述するインターネット網を用いたインターネット電話機能による通話処理（Ｓ２７）で使用される。なお、インターネット網を用いたインターネット電話機能による通話処理（Ｓ２７）については、図４を参照して後述する。
【００６４】
インターネット電話プログラム１４ａを使用したインターネット電話機能による通話が終わり、Ｓ２７の処理が終了すると、ＮＣＵ２１を制御して、電話回線網１００を回線閉結状態から回線開放状態にする（Ｓ２８）。これにより、ＭＦＰ１のユーザが一般電話機能で通話中であることを示す応答が解除される。よって、ＭＦＰ１のユーザは、一般電話機能へ着呼があった際に、その着呼に応答することができる。Ｓ２８の処理終了後、この発呼・通話処理を終了する。
【００６５】
一方、スピーカホンキー１５ｃが押下されていない場合には（Ｓ２５：Ｎｏ）、ハンドセット２２がアップ状態であるか否かが判定される（Ｓ２９）。ハンドセット２２がアップ状態である場合には（Ｓ２９：Ｙｅｓ）、インターネット電話３Ａ〜３Ｃからの着呼に対して着信を行った（インターネット電話３Ａ〜３Ｃからの着呼に応答した）ということであるので、Ｓ２６以降の処理を実行する。
【００６６】
スピーカホンキー１５ｃが押下されておらず（Ｓ２５：Ｎｏ）、ハンドセット２２もアップ状態でなければ（Ｓ２９：Ｎｏ）、ストップキー１５ｄが押下されたか否かが判定される（Ｓ３０）。ストップキー１５ｄが押下されたと判定されると（Ｓ３０：Ｙｅｓ）、インターネット電話３Ａ〜３Ｃからの着呼に応答しないということであるので、インターネット電話プログラム１４ａに着呼終了を指示する（Ｓ３２）。これにより、インターネット電話３Ａ〜３Ｃからの着呼が終了する。その後、ＮＣＵ２１を制御して、電話回線網１００を回線閉結状態から回線開放状態にする（Ｓ３３）。これにより、ＭＦＰ１のユーザが一般電話機能で通話中であることを示す応答が解除される。よって、ＭＦＰ１のユーザは、一般電話機能へ着呼があった際に、その着呼に応答することができる。その後、着呼音の鳴動を終了する（Ｓ３４）。Ｓ３４の処理終了後、この発呼・通話処理を終了する。
【００６７】
Ｓ３０の処理で、ストップキー１５ｄが押下されていないと判定されると（Ｓ３０：Ｎｏ）、鳴動開始タイマ１３ａの値が、加算開始から６０秒が経過したか否かが判定される（Ｓ３１）。鳴動開始タイマ１３ａの値が、加算開始から６０秒が経過したと判定された場合には（Ｓ３１：Ｙｅｓ）、インターネット電話３Ａ〜３Ｃからの着呼に応答しないということであるので、Ｓ３２以降の処理に移行する。一方、鳴動開始タイマ１３ａの値が、加算開始から６０秒が経過していないと判定された場合には（Ｓ３１：Ｎｏ）、Ｓ２４以降の処理へ移行する。
【００６８】
上述した通り、ＭＦＰ１は、インターネット電話３Ａ〜３Ｃからの着呼がインターネット電話プログラム１４ａにより検出されると、電話回線網１００を回線開放状態から回線閉結状態にする。その後、インターネット電話プログラム１４ａを使用したインターネット電話機能による通話が終了するか、ストップキー１５ｄが押下されるか、或いは、鳴動開始タイマ１３ａの値が加算開始から６０秒が経過するまで、電話回線網１００を回線閉結状態に維持する。電話回線網１００が回線閉結状態となると、一般電話機能へ発呼が行われた際に、一般電話機能へ発呼を行った者に対して、ＭＦＰ１のユーザが電話機能で通話中であることを示す応答が行われる。よって、ＭＦＰ１によれば、一般電話機能へ発呼を行った者に対して、ＭＦＰ１のユーザは、電話機能で通話中であり、ＭＦＰ１付近に居ると認識させることができる。これにより、ＭＦＰ１は、一般電話機能へ発呼を行った者に対して、所定時間待機後の一般電話機能への再発呼を促すことができる。
【００６９】
最後に、図４を参照して、インターネット網を用いたインターネット電話機能による通話処理（Ｓ１０，Ｓ２７）について説明する。図４は、インターネット網を用いたインターネット電話機能による通話処理のフローチャートを示した図である。
【００７０】
インターネット網を用いたインターネット電話機能による通話処理では、まず、Ｓ８の処理（図２参照）またはＳ２５の処理（図３参照）のどちらかで、スピーカホンキー１５ｃが押下されたか否かが判定される（Ｓ４１）。なお、Ｓ４１の処理で、スピーカホンキー１５ｃが押下されたか否かを、Ｓ８の処理（図２参照）またはＳ２５の処理（図３参照）の両方で判定するのは、このインターネット網を用いたインターネット電話機能による通話処理（Ｓ１０，Ｓ２７）は、発呼・通話処理（図２参照）と着呼・通話処理（図３参照）との両方で実行され得るからである。よって、発呼・通話処理においてインターネット網を用いたインターネット電話機能による通話処理（Ｓ１０）が行われた場合には、Ｓ４１の処理では、Ｓ８の処理（図２参照）でスピーカホンキー１５ｃが押下されたか否かを判定する（Ｓ４１）。一方、着呼・通話処理においてインターネット網を用いたインターネット電話機能による通話処理（Ｓ２７）が行われた場合には、Ｓ４１の処理では、Ｓ２５の処理（図３参照）でスピーカホンキー１５ｃが押下されたか否かを判定する（Ｓ４１）。なお、Ｓ８の処理（図２参照）またはＳ２５の処理（図３参照）で、スピーカホンキー１５ｃが押下されたか否かは、スピーカホンキー１５ｃが押下されたことが、ＲＡＭ１３の所定領域に記憶されているか否かで判定される。また、スピーカホンキー１５ｃが押下されたことの記憶は、Ｓ４１の処理が実行されると、ＲＡＭ１３の所定領域から消去される。
【００７１】
Ｓ４１の処理において、Ｓ８の処理（図２参照）またはＳ２５の処理（図３参照）のいずれの処理でも、スピーカホンキー１５ｃが押下されていないと判定された場合には（Ｓ４１：Ｎｏ）、スピーカホン機能は不動作であり且つハンドセット２２がアップ状態であるので、ハンドセット２２を用いたインターネット電話機能による通話を行う（Ｓ４２）。なお、このＳ４２の処理は、インターネット電話機能による通話が切断されるまで継続して行われる。
【００７２】
Ｓ４２の処理後、ハンドセット２２がダウン状態となったか否かが判定される（Ｓ４３）。ハンドセット２２がダウン状態となったと判定されると（Ｓ４３：Ｙｅｓ）、インターネット電話機能による通話を切断して（Ｓ５１）、このインターネット網を用いたインターネット電話機能による通話処理を終了する。一方、ハンドセット２２がダウン状態ではない、即ちハンドセット２２がアップ状態であると判定されると（Ｓ４３：Ｎｏ）、スピーカホンキー１５ｃが押下されたか否かが判定される（Ｓ４４）。スピーカホンキー１５ｃが押下されていないと判定されると（Ｓ４４：Ｎｏ）、Ｓ４３の処理へ戻る。
【００７３】
Ｓ４４の処理で、スピーカホンキー１５ｃが押下されたと判定されると（Ｓ４４：Ｙｅｓ）、ハンドセット２２はアップ状態であるが、このハンドセット２２を用いたインターネット電話機能による通話に代えて、スピーカホン機能を用いたインターネット電話機能による通話を行う（Ｓ４５）。なお、このＳ４５の処理は、インターネット電話機能による通話が切断されるまで継続して行われる。
【００７４】
Ｓ４５の処理後、ハンドセット２２がダウン状態となったか否かが判定される（Ｓ４６）。ハンドセット２２がダウン状態ではない、即ちハンドセット２２がアップ状態であると判定されると（Ｓ４６：Ｎｏ）、スピーカホンキー１５ｃが押下されたか否かが判定される（Ｓ４７）。スピーカホンキー１５ｃが押下されていないと判定されると（Ｓ４７：Ｎｏ）、Ｓ４６の処理へ戻る。一方、スピーカホンキー１５ｃが押下されたと判定されると（Ｓ４７：Ｙｅｓ）、スピーカ１７およびマイク２５を使用したスピーカホン機能を終了して、Ｓ４２の処理へ戻る。
【００７５】
Ｓ４６の処理において、ハンドセット２２がダウン状態となったと判定された場合（Ｓ４６：Ｙｅｓ）、またはＳ４１の処理において、Ｓ８の処理（図２参照）またはＳ２５の処理（図３参照）のいずれかの処理で、スピーカホンキー１５ｃが押下されたと判定された場合には（Ｓ４１：Ｙｅｓ）、スピーカホン機能が動作しており且つハンドセット２２がダウン状態であるので、スピーカホン機能を用いたインターネット電話機能による通話を行う（Ｓ４８）。なお、このＳ４８の処理は、インターネット電話機能による通話が切断されるまで継続して行われる。
【００７６】
Ｓ４８の処理後、ハンドセット２２がアップ状態となったか否かが判定される（Ｓ４９）。ハンドセット２２がアップ状態となったと判定されると（Ｓ４９：Ｙｅｓ）、Ｓ４５の処理へ戻り、ハンドセット２２がアップ状態となった場合におけるスピーカホン機能を用いたインターネット電話機能による通話を行う（Ｓ４５）。一方、ハンドセット２２がアップ状態ではない、即ちハンドセット２２がダウン状態であると判定されると（Ｓ４９：Ｎｏ）、スピーカホンキー１５ｃが押下されたか否かが判定される（Ｓ５０）。スピーカホンキー１５ｃが押下されていないと判定されると（Ｓ５０：Ｎｏ）、Ｓ４９の処理へ戻る。一方、スピーカホンキー１５ｃが押下されたと判定されると（Ｓ５０：Ｙｅｓ）、インターネット電話機能による通話を切断して（Ｓ５１）、このインターネット網を用いたインターネット電話機能による通話処理を終了する。
【００７７】
上述した通り、本実施形態によれば、ＭＦＰ１は、インターネット電話機能による発呼を行う前に、電話回線網１００を回線開放状態から回線閉結状態にする。その後、インターネット電話プログラム１４ａを使用したインターネット電話機能による通話が終了するまで、電話回線網１００を回線閉結状態に維持する。電話回線網１００が回線閉結状態となると、一般電話機能へ発呼が行われた際に、一般電話機能へ発呼を行った者に対して、ＭＦＰ１のユーザが電話機能で通話中であることを示す応答が行われる。よって、ＭＦＰ１によれば、一般電話機能へ発呼を行った者に対して、ＭＦＰ１のユーザは、電話機能で通話中であり、ＭＦＰ１付近に居ると認識させることができる。これにより、ＭＦＰ１は、一般電話機能へ発呼を行った者に対して、所定時間待機後の一般電話機能への再発呼を促すことができる。
【００７８】
また、ＭＦＰ１は、インターネット電話３Ａ〜３Ｃからの着呼がインターネット電話プログラム１４ａにより検出されると、電話回線網１００を回線開放状態から回線閉結状態にする。その後、インターネット電話プログラム１４ａを使用したインターネット電話機能による通話が終了するか、ストップキー１５ｄが押下されるか、或いは、鳴動開始タイマ１３ａの値が加算開始から６０秒が経過するまで、電話回線網１００を回線閉結状態に維持する。電話回線網１００が回線閉結状態となると、一般電話機能へ発呼が行われた際に、一般電話機能へ発呼を行った者に対して、ＭＦＰ１のユーザが電話機能で通話中であることを示す応答が行われる。よって、ＭＦＰ１によれば、一般電話機能へ発呼を行った者に対して、ＭＦＰ１のユーザは、電話機能で通話中であり、ＭＦＰ１付近に居ると認識させることができる。これにより、ＭＦＰ１は、一般電話機能へ発呼を行った者に対して、所定時間待機後の一般電話機能への再発呼を促すことができる。
【００７９】
また、本実施形態によれば、ＭＦＰ１は、インターネット電話機能による発呼が行われる場合に、電話回線網１００を回線開放状態から回線閉結状態にする。また、ＭＦＰ１は、インターネット電話プログラム１４ａによりインターネット電話３Ａ〜３Ｃからの着呼が検出された場合に、電話回線網１００を回線開放状態から回線閉結状態にする。このように、ＭＦＰ１は、インターネット電話機能の使用に合わせて、電話回線網１００を回線開放状態から回線閉結状態にするので、ＭＦＰ１のユーザは、電話回線網１００を回線開放状態から回線閉結状態にするための特別な操作を行う必要がない。よって、電話回線網１００を回線閉結状態にする処理を簡略化することができる。
【００８０】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００８１】
上記実施形態では、発呼・通話処理は、ハンドセット２２がアップ状態となったことがハンドセット検出センサ２６で検出された場合、インターネット電話キー１５ａが押下された場合、または一般電話キー１５ｂが押下された場合に実行される処理であったが、これに限られるものではない。即ち、上記に加え、スピーカホンキー１５ｃが押下された場合に発呼・通話処理を実行するように変更しても良い。そして、例えば、発呼・通話処理のＳ２の処理の後に、発呼・通話処理の実行前にスピーカホンキー１５ｃが押下されたかを判定する処理を追加し、その処理の後に、発呼・通話処理の実行前にスピーカホンキー１５ｃが押下されていれば、電話回線網を閉結する処理を追加すれば良い。このように発呼・通話処理を変更することで、スピーカホンキー１５ｃが押下された場合にも、電話回線網１００を回線開放状態から回線閉結状態にすることができる。
【００８２】
また、上記実施形態では、ＭＦＰ１にインターネット電話キー１５ａが設けられ、そのインターネット電話キー１５ａが押下された場合に、発呼・通話処理が実行されたが、これに限られるものではない。即ち、ＭＦＰ１と通信可能な１以上の子機を設け、この子機にもインターネット電話キー１５ａを設ける。そして、ＭＦＰ１のインターネット電話キー１５ａが押下された場合に加え、子機に設けられたインターネット電話キー１５ａが押下された場合にも、発呼・通話処理が実行されるように構成しても良い。この構成の場合には、インターネット電話機能を子機で使用するときでも、電話回線網１００を回線開放状態から回線閉結状態にすることができる。
【図面の簡単な説明】
【００８３】
【図１】本実施形態におけるＭＦＰの電気的構成を示すブロック図である。
【図２】ＭＦＰで実行される発呼・通話処理のフローチャートを示した図である。
【図３】ＭＦＰで実行される着呼・通話処理のフローチャートを示した図である。
【図４】ＭＦＰで実行されるインターネット網を用いたインターネット電話機能による通話処理のフローチャートを示した図である。
【符号の説明】
【００８４】
１        ＭＦＰ（通信装置の一例）
１４ａ    インターネット電話プログラム（着呼検出手段の一例）
１５ａ    インターネット電話キー（受付手段の一例）
１５e    決定キー（決定手段の一例）
２１      ＮＣＵ（一般電話機能設定手段の一例）
２２      ハンドセット（入出力手段の一例）
２６      ハンドセット検出センサ（入出力検出手段の一例）
Ｓ２，Ｓ６：Ｙｅｓ，Ｓ７    発呼・通話処理（設定制御手段の一部の一例）
Ｓ１１    発呼・通話処理（解除手段の一部の一例）
Ｓ２１    着呼・通話処理（設定制御手段の一部の一例）
Ｓ２８，Ｓ３３    着呼・通話処理（解除手段の一部の一例）
Ｓ５１    インターネット網を用いたインターネット電話機能による通話処理（不使用検出手段の一例）
【図１】
2009232403.tif 000003
【図２】
2009232403.tif 000004
【図３】
2009232403.tif 000005
【図４】
2009232403.tif 000006